(57)【要約】【課題】本発明は、着脱作業の簡単化を図った留め具及び接ぎ具を提供する。【解決手段】被留め部材に形成された孔に挿入されることにより、被留め部材を留める留め具であって、被留め部材の孔に挿入される筒体部を有する第１部材と、筒体部に挿入される軸部を有する第２部材と、筒体部又は軸部のいずれか一方に設けられた係止部と、筒体部又は軸部のいずれか他方に設けられた被係止部とを有する係止機構と、筒体部又は軸部のいずれか一方に設けられた係止解除部とを有し、軸部が筒体部に挿入され係止部と被係止部との位置が一致されると両者が係止されて第１部材と第２部材が結合し、係止部と係止解除部の位置が一致されると係止部と被係止部の係止が解除され、第１部材と第２部材の結合を解除する。【選択図】  図１
2017056628.tif 000002
【特許請求の範囲】
【請求項１】
被留め部材に形成された孔に挿入されることにより、前記被留め部材を留める留め具であって、
前記被留め部材の前記孔に挿入される筒体部を有する第１部材と、
前記筒体部に挿入される軸部を有する第２部材と、
前記筒体部又は前記軸部のいずれか一方に設けられた係止部と、前記筒体部又は前記軸部のいずれか他方に設けられた被係止部とを有する係止機構と、
前記筒体部又は前記軸部のいずれか一方に設けられた係止解除部とを有し、
前記軸部が前記筒体部に挿入され前記係止部と前記被係止部との位置が一致されると両者が係止されて前記第１部材と前記第２部材が結合し、前記係止部と前記係止解除部の位置が一致されると前記係止部と前記被係止部の係止が解除され、前記第１部材と前記第２部材の結合を解除することを特徴とする留め具。
【請求項２】
前記係止部は、前記筒体部又は前記軸部のいずれか一方に設けられた突起を有するストッパであり、
前記被係止部は、前記筒体部又は前記軸部のいずれか他方に設けられ、前記突起を係止する窪み部であることを特徴とする請求項１に記載の留め具。
【請求項３】
前記係止解除部は、
前記被係止部に対して回転方向にずれた位置に配置されることを特徴とする請求項１に記載の留め具。
【請求項４】
前記係止解除部は、
前記第２部材の軸方向に沿って設けられる溝であり、当該係止解除部の軸方向の長さが、前記被係止部の配置高さ以上であることを特徴とする請求項１〜３の何れか一項に記載の留め具。
【請求項５】
前記筒体部又は前記軸部のいずれか一方に、前記係止部を前記被係止部へ案内するガイド部が備えられていることを特徴とする請求項１〜４の何れか一項に記載の留め具。
【請求項６】
前記ガイド部は、テーパ―面であることを特徴とする請求項５に記載の留め具。
【請求項７】
前記第２部材の上面部には、軸回転を誘導する回転誘導溝が設けられていることを特徴とする請求項１に記載の留め具。
【請求項８】
前記第１部材の上縁部には、前記第２部材の挿入時の回転方向の位置を誘導する位置合わせ部が備えられており、当該位置合わせ部によって位置決めされた前記第２部材の前記軸部が前記第１部材の前記筒体部に挿入されると、前記係止部と前記被係止部との位置が一致し、両者が係止されることを特徴とする請求項１〜７の何れか一項に記載の留め具。
【請求項９】
前記位置合わせ部は、前記第２部材の上面部に設けられた回転誘導溝の位置と合わせられることを特徴とする請求項８に記載の留め具。
【請求項１０】
被留め部材に形成された孔に挿入される筒体部を有する第１部材と、軸部を有する第２部材との間に配設される接ぎ具であって、
筒状の接ぎ具本体と、
当該接ぎ具本体の下方位置に配置される接ぎ軸部と、
前記接ぎ具本体又は前記軸部のいずれか一方に設けられた係止部と、前記接ぎ具本体又は前記軸部のいずれか他方に設けられた被係止部とを有する第１の接ぎ具係止機構と、
前記接ぎ具本体又は前記軸部のいずれか一方に設けられた第１の係止解除部とを有し、
前記第１の接ぎ具係止機構は、
前記軸部が前記接ぎ具本体に挿入され前記係止部と前記被係止部との位置が一致されると両者が係止されて前記第２部材と前記接ぎ具が結合し、前記係止部と前記第１の係止解除部の位置が一致されると前記係止部と前記被係止部の係止が解除され、前記接ぎ具と前記第２部材の結合を解除することを特徴とする接ぎ具。
【請求項１１】
前記接ぎ具と前記第１部材を接合する第２の接ぎ具係止機構と、
前記接ぎ軸部又は前記筒体部のいずれか一方に設けられた第２の係止解除部とを有し、
前記第２の接ぎ具係止機構は、
前記接ぎ軸部と前記筒体部のいずれか一方に設けられた係止部と、前記接ぎ軸部と前記筒体部のいずれか他方に設けられた被係止部とを有しており、
前記接ぎ軸部が前記筒体部に挿入され前記係止部と前記被係止部との位置が一致されると両者が係止されて前記第１部材と前記接ぎ具が結合し、前記係止部と前記第２の係止解除部の位置が一致されると前記係止部と前記被係止部の係止が解除され、前記接ぎ具と前記第１部材の結合を解除することを特徴とする請求項１０に記載の接ぎ具。
【請求項１２】
前記係止部は、前記接ぎ具本体又は前記軸部のいずれか一方、及び前記接ぎ軸部と前記筒体部のいずれか一方に設けられた突起を有するストッパであり、
前記被係止部は、前記接ぎ具本体又は前記軸部のいずれか他方、及び前記接ぎ軸部と前記筒体部のいずれか他方に設けられ、前記突起を係止する窪み部であることを特徴とする請求項１０又は１１に記載の接ぎ具。
【請求項１３】
前記第１の係止解除部及び第２の係止解除部は、
前記被係止部に対して回転方向にずれた位置に配置されることを特徴とする請求項１０又は１１に記載の接ぎ具。
【請求項１４】
前記第１の係止解除部及び第２の係止解除部は、
前記第２部材又は前記接ぎ軸部の軸方向に沿って設けられる溝であり、当該第１の係止解除部及び第２の係止解除部の軸方向の長さが、前記被係止部の配置高さ以上であることを特徴とする請求項１０〜１３の何れか一項に記載の接ぎ具。
【請求項１５】
前記接ぎ具本体又は前記軸部のいずれか一方、及び前記接ぎ軸部又は前記筒体部のいずれか一方に、前記係止部を前記被係止部へ案内するガイド部が備えられていることを特徴とする請求項１０〜１４の何れか一項に記載の接ぎ具。
【請求項１６】
前記ガイド部は、テーパ―面であることを特徴とする請求項１５に記載の接ぎ具。
【請求項１７】
前記接ぎ具本体の上縁部には、前記第２部材の挿入時の回転方向の位置を誘導する位置合わせ部が備えられており、当該位置合わせ部によって位置決めされた前記第２部材の前記軸部が前記接ぎ具の前記接ぎ具本体に挿入されると、前記係止部と前記被係止部との位置が一致し、両者が係止されることを特徴とする請求項１０〜１６の何れか一項に記載の接ぎ具。
【請求項１８】
前記位置合わせ部は、前記第２部材の上面部に設けられた軸回転を誘導する回転誘導溝の位置と合わせられることを特徴とする請求項１７に記載の接ぎ具。
【発明の詳細な説明】
【技術分野】
【０００１】
本発明は、留め具及び接ぎ具に関する。
【背景技術】
【０００２】
例えば、台紙の増減ができるアルバムでは、留め具を用いて複数の台紙を留める（綴じる）ことが行われる。従来の留め具は、ネジが利用されていた。即ち、従来の留め具は、雄ネジ部を有するピンと、雄ネジ部が螺合する雌ねじ部を有するビスとにより構成されていた。
【０００３】
そして台紙を留める（綴じる）には、綴じようとする台紙の綴じ穴の一方（例えば裏側）からビスを挿入すると共に他方（例えば表側）からピンを挿入し、雄ネジ部を雌ねじ部に螺着することにより複数の台紙を留めることが行われていた。
【０００４】
また、台紙の綴じ枚数が多い場合には、ビスとピンの間にツギビスを追加することが行われる。このツギビスは、一端にビスの雌ねじ部と螺合する雄ネジ部が形成され、他端部にピンの雄ネジ部と螺合する雌ねじ部が形成されていた。
【先行技術文献】
【特許文献】
【０００５】
【特許文献１】実開平０７−０３７６５６号公報
【発明の概要】
【発明が解決しようとする課題】
【０００６】
しかしながら従来の留め具は、ビスにピン又はツギビスを取り付ける時、またビス又はツギビスにピンを取り付け時にネジ止め作業が必要となり、台紙の留め作業（綴じ作業）が面倒であるという問題点があった。
【０００７】
また、ピンまたはツギビスを取外す作業においても、ネジ外し作業を行う必要があるため面倒である。
【０００８】
本発明のある態様の例示的な目的のひとつは、着脱作業の簡単化を図った留め具及び接ぎ具を提供することにある。
【課題を解決するための手段】
【０００９】
本発明のある態様によると、
被留め部材に形成された孔に挿入されることにより、前記被留め部材を留める留め具であって、
前記被留め部材の前記孔に挿入される筒体部を有する第１部材と、
前記筒体部に挿入される軸部を有する第２部材と、
前記筒体部又は前記軸部のいずれか一方に設けられた係止部と、前記筒体部又は前記軸部のいずれか他方に設けられた被係止部とを有する係止機構と、
前記筒体部又は前記軸部のいずれか一方に設けられた係止解除部とを有し、
前記軸部が前記筒体部に挿入され前記係止部と前記被係止部との位置が一致されると両者が係止されて前記第１部材と前記第２部材が結合し、前記係止部と前記係止解除部の位置が一致されると前記係止部と前記被係止部の係止が解除され、前記第１部材と前記第２部材の結合を解除する。
【発明の効果】
【００１０】
本発明のある態様によると、着脱作業の簡単化を図ることができる。
【図面の簡単な説明】
【００１１】
【図１】第１の実施形態に係る留め具を示す分解斜視図である。
【図２】第１の実施形態に係る留め具をアルバムに使用した一例を示す斜視図である。
【図３】第１の実施形態に係る留め具を説明するための一部断面図である。
【図４】ピンの取り付け後の係止状態を示す図である。Ａは一部断面図であり、ＢはＡのＩ−Ｉ矢視平断面図である。
【図５】ピンの取り外し前の係止解除状態を示す図である。Ａは一部断面図であり、ＢはＡのＩＩ−ＩＩの矢視平断面図である。
【図６】接ぎ具を追加した第２の実施形態に係る留め具を示す分解斜視図である。
【図７】第２の実施形態に係る留め具を説明するための一部断面図である。
【図８】接ぎ具とピンの取付け後の係止状態を示す図である。Ａは一部断面図であり、ＢはＩＩＩ−ＩＩＩ矢視平断面図である。
【図９】接ぎ具とピンの取り外し前の係止解除状態を示す図である。Ａは一部断面図であり、ＢはＡのＶ−Ｖの矢視平断面図である。
【図１０】第３の実施形態に係る留め具の説明するための斜視図である。
【図１１】第３の実施形態に係る留め具を説明するための一部断面図である。
【発明を実施するための形態】
【００１２】
次に、添付の図面を参照しながら、本発明の限定的でない例示の実施形態について説明する。
【００１３】
なお、添付した全図面の中の記載で、同一又は対応する部材又は部品には、同一又は対応する参照符号を付し、重複する説明を省略する。また、図面は、特に指定しない限り、部材もしくは部品間の相対比を示すことを目的としない。従って、具体的な寸法は、以下の限定的でない実施形態に照らし、当業者により決定することができる。
【００１４】
また、以下説明する実施形態は、発明を限定するものではなく例示であって、実施形態に記述される全ての特徴やその組み合わせは、必ずしも発明の本質的なものであるとは限らない。
【００１５】
図１は、留め具の一実施形態を説明する図である。
【００１６】
本実施形態では、図２に示すアルバム２７の台紙２８を被留め部材とする留め具１Ａを例に挙げて説明する。しかしながら、留め具１Ａの適用はアルバム２７に限定されるものではなく、例えば透明樹脂板を被留め部材とする写真スタンド、書類を被留め部材とするバインダ等、種々の被留め部材を留める（綴じる）留め具として用いることが可能なものである。
【００１７】
アルバム２７は、被留め部材となる複数の台紙２８、折り返し片３０ａを有した表表紙２９ａ，折り返し片３０ｂを有する裏表紙２９ｂを有している。折り返し片３０ａ，３０ｂ及び台紙２８には、それぞれ綴じ穴（図示せず）が形成されている。この綴じ穴に留め具１Ａを装着することにより、台紙２８及び折り返し片３０ａ，３０ｂは留められた（綴じられた）状態になる。
【００１８】
留め具１Ａは、図１及び図３に示すように、留め具本体２（第１部材に相当）、ピン３（第２部材に相当）、係止機構９を有している。留め具本体２及びピン３は、本実施形態では金属（例えばステンレス）により形成しているが、樹脂等の他の材料により形成することも可能である。
【００１９】
留め具本体２は、本体側鍔部１０、筒体部１１、ストッパ１２、バネ１３を有している。本体側鍔部１０は、台紙２８及び折り返し片３０ａ，３０ｂに形成された綴じ穴の直径よりも大きな直径を有している。
【００２０】
筒体部１１は本体側鍔部１０と一体的な構成とされており、本体側鍔部１０に立設している。また筒体部１１は、台紙２８及び折り返し片３０ａ，３０ｂに形成されている綴じ穴の直径より小さな直径を有している。よって筒体部１１は、綴じ穴に挿入可能とされている。
【００２１】
筒体部１１は、中空部１４、凹部１６、孔１７を有している。
【００２２】
中空部１４は、筒体部１１の内部において、上側（図中、矢印Ｙ１側）が開口し、下端部に底部を有し、後述するピン３の軸部５を収納可能な径と高さ（深さ）を有している。
【００２３】
凹部１６は環状に形成されており、ストッパ１２及びバネ１３が取り付けられる。また凹部１６には一対の孔１７が形成されており、各孔１７は対向するよう１８０°間隔で配置されている。
【００２４】
ストッパ１２及びバネ１３は、ピン３に形成された窪み部６（被係止部に相当）と共に係止機構９を構成する。なお、ストッパ１２及びバネ１３については、説明の便宜上、後述するものとする。
【００２５】
ピン３は、ピン側鍔部４と軸部５を有している。
【００２６】
ピン側鍔部４は、台紙２８及び折り返し片３０ａ，３０ｂに形成された綴じ穴の直径よりも大きな直径を有している。本実施形態では、留め具本体２の本体側鍔部１０と同一直径とされている。またピン側鍔部４の上面部には、軸回転を誘導する回転誘導溝４０が設けられている。回転誘導溝４０は、中心を通る直径線に沿って延在するスリットであり、回転誘導溝４０内にコインなどの差し入れて回転させることで、ピン３の回転を容易に行える。
【００２７】
軸部５はピン側鍔部４と一体的な構成とされており、ピン側鍔部４に立設された構成とされている。軸部５の直径は、筒体部１１に形成された中空部１４の内径よりも若干小さく設定されている。よって、ピン３を留め具本体２に挿入した際、軸部５は中空部１４内に挿入される。
【００２８】
軸部５の外周面には、窪み部６が形成されている。この窪み部６は、ストッパ１２及びバネ１３と共に係止機構９を構成する。窪み部６は対向するよう１８０°間隔で配置されて良い。
【００２９】
また、軸部５の外周面には係止解除部７を有している。係止解除部７は、ピン３の軸方向（矢印Ｙ１−Ｙ２方向）に沿って延在する溝である。係止解除部７は、軸部５の下端部（矢印Ｙ２側）側が開口し、上方位置に段部が設けられている。係止解除部７は、対向するよう１８０°間隔で配置され、且つ前記した窪み部６の位置に対して回転方向に９０°ずれた位置に配置されて良い。図示例では窪み部６に対して回転方向に９０°ずれた位置に配置されているが、この限りではなく適宜変更可能である。また、係止解除部７の軸方向（矢印Ｙ１−Ｙ２方向）の長さ（高さ）が、窪み部６の配置高さ以上とされている。
【００３０】
軸部５の下方側（矢印Ｙ２側）であって、且つ窪み部６の直下位置には、ガイド部５０がそれぞれ設けられている。ガイド部５０は、下方に向かって幅狭に傾斜するテーパ―面であり、後述する留め具本体２に設けられる係止機構９を窪み部６へ案内する機能を発揮する。
【００３１】
（係止機構）
次に、係止機構９について説明する。
【００３２】
係止機構９は、窪み部６、ストッパ１２、バネ１３を有している。
【００３３】
窪み部６は、ピン３の軸部５の外周面の略中央位置に形成されている。図示例の窪み部６は軸部５の軸方向と直交する水平方向に延在する形状に形成されている。
【００３４】
ストッパ１２は、ベース１８に突起部１９（係止部に相当）が形成された構造とされている。ベース１８は板状の部材であり、凹部１６の外形に沿った湾曲形状とされている。
【００３５】
突起部１９は、ストッパ１２の内側に向けて突出するよう形成されている。この突起部１９は、ストッパ１２が筒体部１１に形成された凹部１６に装着された際、凹部１６に形成された孔１７の内部に挿入する。またこの挿入された状態において、突起部１９の先端部は中空部１４の内壁よりも内側に突出するよう構成されている。
【００３６】
このストッパ１２は、凹部１６に形成された一対の孔１７に対応し、凹部１６に２個配設される。また、突起部１９（係止部）の形状は窪み部６（被係止部）の形状と対応するよう構成されており、よって突起部１９は窪み部６に係止可能な構成とされている。
【００３７】
バネ１３は、一対のストッパ１２を凹部１６に装着した後、このストッパ１２の外周面を覆うように凹部１６に配設される。このバネ１３は、ストッパ１２を内側（中空部１４の内部）に向けて弾性付勢する。よって、突起部１９も、中空部１４の内部に向けて弾性付勢される。
【００３８】
なお本実施形態のバネ１３は、板状のバネ材を筒状に成形すると共に一部にスリット２０が形成された構成とした。しかしなから、バネ１３の構成は本実施形態の構成に限定されるものではなく、ストッパ１２を凹部１６に向け弾性力を付勢できるものであれば、コイルばね等の他の弾性手段を用いることも可能である。
【００３９】
＜動作＞
次に、留め具１Ａの動作について説明する。
【００４０】
留め具１Ａを用いてアルバム２７の台紙２８を留める（綴じる）には、先ず一対の折り返し片３０ａ，３０ｂの間に複数の台紙２８を装着すると共に各綴じ穴が一致するよう整列させる（図２参照）。
【００４１】
次に留め具本体２の筒体部１１を裏側の折り返し片３０ｂの綴じ穴から台紙２８の各綴じ穴に挿入する。そして、続いてピン３の軸部５を表側から綴じ穴から挿入し、留め具本体２の筒体部１１へ差し込む。
【００４２】
（係止動作）
このときの留め具１Ａの係止動作を図４、図５から説明する。図４は、ピン３と留め具本体２の係止状態を示す図である。Ａは一部断面図であり、ＢはＩ−Ｉ矢視断面図である。図４Ａは、説明の関係上留め具本体２を断面図で示している。
【００４３】
軸部５を挿入する際、台紙２８の綴じ穴には留め具本体２の筒体部１１が挿入されている。よってピン３の軸部５は、筒体部１１の内部に挿入される。
【００４４】
軸部５が筒体部１１に挿入されることにより、軸部５は中空部１４内を進行する。中空部１４には、係止機構９を構成するストッパ１２の突起部１９が突出している。このため、ピン３の留め具本体２内への挿入に伴い、軸部５のガイド部５０は突起部１９に当接する場合がある。なお以下の説明において、軸部５のガイド部５０が突起部１９に当接した状態を当接状態という。
【００４５】
上記当接状態となる場合とは、ピン３が挿入されるとき、軸部５のガイド部５０の直下位置に突起部１９が存在する場合である。因みにピン３が挿入されるとき、軸部５の係止解除部７の直下位置に突起部１９が存在する場合、突起部１９は係止解除部７の溝内を進行するため、ガイド部５０と突起部１９は当接しない。以下の説明において、軸部５のガイド部５０が突起部１９に当接しない状態を非当接状態という。
【００４６】
上記当接状態と、非当接状態において、留め具１Ａの係止動作が異なる。まず、当接状態における係止動作から説明する。
【００４７】
当接状態から、ピン側鍔部４を更に強く留め具本体２に向けて（矢印Ｙ２方向に向け）押圧すると、軸部５のガイド部５０が突起部１９を徐々に押圧するため、バネ１３の弾性変形に伴い突起部１９は外側に変位し、軸部５の挿入を許容する。よって軸部５は更に中空部１４内を進行し、これに伴い突起部１９は相対的に軸部５の外周面を摺動する。
【００４８】
そして、窪み部６が突起部１９と対向する位置までピン３が進行すると、バネ１３のバネ力により突起部１９は窪み部６に嵌入し、これにより窪み部６は突起部１９により係止され、ピン３と留め具本体２とが結合される。図４（Ａ）は、窪み部６が突起部１９に係止された状態を示している。以下、窪み部６が突起部１９に係止された状態を係止状態という。
【００４９】
次に、非当接状態で挿入されたピン３を係止とする動作を説明する。図５は、ピン３と留め具本体２の係止解除状態（非当接状態で挿入された後の状態）を示す図である。Ａは一部断面図であり、ＢはＩＩ−ＩＩ矢視断面図である。図５Ａは、説明の関係上留め具本体２を断面図で示している。
【００５０】
非当接状態の場合、図示の通りピン３が挿入されたとき、突起部１９は軸部５の係止解除部７の溝内に存在する。したがってこの時、窪み部６と突起部１９とは係止されていない状態にある。
【００５１】
係止状態にするには、ピン３を図５の状態から９０°軸回転させることにより、窪み部６と突起部１９を係止させることができる。軸回転の方向は、時計回りであっても反時計回りであっても良い。
【００５２】
ピン３を軸回転させると、軸部５の係止解除部７が突起部１９から離脱する力（乗り上げ力）により、バネ１３に弾性変形が生じて突起部１９は外側に変位してピン３の軸回転を許容する。そして、係止解除部７と回転方向にずれた位置に存在する窪み部６が突起部１９と対向する位置までピン３が軸回転すると、バネ１３のバネ力（付勢力）により突起部１９は窪み部６に嵌入し、これにより窪み部６は突起部１９により係止され、ピン３と留め具本体２とが結合される（図４）。これは、係止解除部７の軸方向（矢印Ｙ１−Ｙ２方向）の長さ（高さ）が、窪み部６の配置高さ以上にあるために実現できる。
【００５３】
上記した係止状態では、窪み部６が突起部１９に係止されることによりピン３の留め具本体２からの離脱が規制される。よって、留められた（綴じられた）台紙２８が留め具１Ａから離脱するようなことはない。
【００５４】
なお、窪み部６と突起部１９との係止力はバネ１３のバネ力により調整することができる。このバネ１３のバネ力は、通常のアルバム２７の使用態様によっては窪み部６と突起部１９の係止が解除されないよう設定されている。
【００５５】
一方、台紙２８の増減を行う時には、留め具本体２からピン３を引き抜く必要がある。即ち、台紙２８の増減を行う時には、窪み部６と突起部１９との係止を解除させる必要がある。
【００５６】
（係止解除動作）
次に、窪み部６と突起部１９との係止を解除させる係止解除動作を説明する。係止解除動作とは、端的に云えば、図４の状態から図５の状態にさせる動作である。したがって、上記の非当接状態における係止動作の逆を行えば良い。
【００５７】
即ち、図４に示す窪み部６と突起部１９との係止状態において、ピン３を９０°軸回転させることにより、窪み部６と突起部１９の係止解除を行うことができる。軸回転の方向は、時計回りであっても反時計回りであっても良い。
【００５８】
ピン３を軸回転させると、突起部１９から窪み部６が離脱する力（乗り上げ力）により、バネ１３に弾性変形が生じて突起部１９は外側に変位してピン３の軸回転を許容する。そして、窪み部６と水平方向にずれた位置に存在する係止解除部７が突起部１９と対向する位置までピン３が軸回転すると、バネ１３のバネ力（付勢力）により突起部１９は係止解除部７の溝内に配置される。すると突起部１９と窪み部６との係止状態が解除され、図５の状態となる。因みに、窪み部６は軸部５の軸方向と直交する水平方向に延在する形状に形成されているため、軸部５を回転させたとき突起部１９からの離脱をスムーズに行える。
【００５９】
上記のように本実施形態の留め具１Ａは、被留め部材となる台紙２８を留める（綴じる）動作が非常に容易である。即ち、ピン３の挿入の際にガイド部５０と突起部１９が当接する状態（当接状態）においては、単にピン３を留め具本体２に向け押し込む操作を行うだけで、ピン３を留め具本体２にワンタッチで係止することができる。ピン３の挿入の際にガイド部５０と突起部１９が当接しない状態（非当接状態）においては、ピン３を留め具本体２内に挿入した後、ピン３を軸回転させるのみで係止することができる。
【００６０】
また、係止状態にあるピン３と留め具本体２との係止解除動作、及びピン３の引き抜き動作も非常に容易である。即ち、単にピン３を軸回転させるのみで容易に係止解除を行うことができる。また、係止解除された状態は、突起部１９が軸部５の係止解除部７の溝内に存在する状態であるため、ピン３はフリー（被係止状態）であり、ピン３を上方（矢印Ｙ１方向）へ持ち上げて留め具本体２から容易に引き抜くことができる。係止解除部７は、前記したように軸部５の軸方向（矢印Ｙ１−Ｙ２方向）に延在する溝であるので、ピン３の引き抜き動作をガイドできる。
【００６１】
したがって、本実施形態の留め具１Ａは、ピン３の着脱動作の簡単化を飛躍的に向上することができる。
【００６２】
［第２の実施形態］
ところで、台紙２８の綴じ枚数が多くなり、筒体部１１の長さでは留めきれなくなることがある。このような場合には、留め具本体２に接ぎ具２２を連結する。以下、接ぎ具２２について説明する。
【００６３】
図６〜図９は、接ぎ具２２を用いた留め具１Ｂを示している。図６は、接ぎ具を追加した第２の実施形態に係る留め具を示す分解斜視図である。図７は、第２の実施形態に係る留め具を説明するための一部断面図である。図８は、接ぎ具とピンの取付け後の係止状態を示す図である。図９は、接ぎ具とピンの取り外し前の係止解除状態を示す図である。なお、図６〜図９において、図１乃至図５に示した構成と対応する構成については同一符号を付し、その説明は適宜省略するものとする。
【００６４】
留め具１Ｂは、図１及び図２を用いて説明した留め具本体２とピン３との間に接ぎ具２２を設けた構成とされている。なお、留め具本体２とピン３の間に配設される接ぎ具２２の個数は特に限定されるものではなく、任意の個数を配設することができる。図６〜図９に示す例では、留め具本体２とピン３との間に１個の接ぎ具２２を設けた例を説明するものとする。
【００６５】
本実施形態の接ぎ具２２を有する留め具１Ｂは、当該接ぎ具２２とピン３との接続を成らしめる第１の接ぎ具係止機構９０Ａと、接ぎ具２２と留め具本体２との接続を成らしめる第２の接ぎ具係止機構９０Ｂを有している。因みに第１の接ぎ具係止機構９０Ａと第２の接ぎ具係止機構９０Ｂの構成は略同様である。
【００６６】
接ぎ具２２は、接ぎ具本体２３、ストッパ１２、バネ１３を有している。
【００６７】
接ぎ具本体２３は留め具本体２の筒体部１１と同一直径とされており、中空部３４、凹部３６、孔３７を有している。
【００６８】
接ぎ具本体２３の下方位置（矢印Ｙ２方向）には、接ぎ軸部２４が形成されている。この接ぎ軸部２４は、留め具本体２に形成された中空部１４内に挿入され、第２の接ぎ具係止機構９０Ｂにより係止される構成とされている。
【００６９】
中空部３４は、接ぎ具本体２３の内部において、上縁部（矢印Ｙ１側）が開口する底部を有する筒形状の凹部に形成されている。この中空部３４は、ピン３の軸部５を内包する。
【００７０】
また、本実施形態の接ぎ軸部２４は、ピン３の軸部５の外周面に形成された窪み部６、係止解除部７（第１の係止解除部に相当）、ガイド部５０を同様に有している。
【００７１】
接ぎ軸部２４の窪み部６、係止解除部７（第２の係止解除部に相当）、ガイド部５０は、図１〜図３で説明したピン３の軸部５と同様の構成であるため、説明は省略する。
【００７２】
凹部３６は環状に形成されており、第１の接ぎ具係止機構９０Ａを構成するストッパ１２及びバネ１３が取り付けられる。また凹部３６には一対の孔３７が１８０°間隔で配置されている。
【００７３】
ストッパ１２及びバネ１３は、ピン３に形成された窪み部６と共に第１の接ぎ具係止機構９０Ａを構成する。この第１の接ぎ具係止機構９０Ａを構成する窪み部６，ストッパ１２，及びバネ１３は、図１〜図３を用いて説明したものと同一であるため、その説明は省略する。
【００７４】
ストッパ１２の突起部１９（係止部）は、ストッパ１２が接ぎ具本体２３に形成された凹部３６に装着された際、凹部３６に形成された孔３７の内部に挿入する。またこの挿入された状態において、突起部１９の先端部は中空部３４の内壁よりも内側に突出するよう構成されている。またバネ１３は、ストッパ１２を凹部３６に装着した後、このストッパ１２を覆うように凹部３６に配設される。
【００７５】
接ぎ具２２と留め具本体２との接続に供される第２の接ぎ具係止機構９０Ｂは、接ぎ具２２の接ぎ軸部２４に形成された窪み部６と、留め具本体２の凹部１６に設けられた突起部１９を備えたストッパ１２と、バネ１３とで構成される。これらの構成は、図１〜図３を用いて説明したものと同一であるため、その説明は省略する。
【００７６】
因みに、接ぎ具２２と留め具本体２との接続は、第２の接ぎ具係止機構９０Ｂによる接続ではなく、ネジ回しによる接続であって良い。例えば、接ぎ軸部２４の外周に雄ねじ部を設け、留め具本体２の中空部１４の上部内周に設けられた雌ねじ部と螺着される構成も実施可能である。
【００７７】
＜動作＞
次に、留め具１Ｂの動作について説明する。
【００７８】
留め具１Ｂを用いてアルバム２７の台紙２８を留める（綴じる）には、先ず留め具本体２に接ぎ具２２を接合する。
【００７９】
接ぎ具２２を留め具本体２に接合するには、接ぎ具２２の接ぎ軸部２４を留め具本体２の中空部１４内に挿入し、接ぎ具２２の窪み部６と留め具本体２の突起部１９とを係止させることにより行う。
【００８０】
その後、接ぎ具２２の中空部３４内にピン３の軸部５を挿入し、接ぎ具２２の突起部１９とピン３の窪み部６とを係止させることにより、接ぎ具２２とピン３の接合が行われる。以下、接ぎ具２２を留め具本体２に接合する動作を第１の接合動作という。また、ピン３と接ぎ具２２を接合する動作を、第２の接合動作という。
【００８１】
（第１の接合動作）
先ず第１の接合動作について説明する。第１の接合動作は、台紙２８に留め具本体２及び接ぎ具２２を挿通する前に行われる。このため、作業者は留め具本体２と接ぎ具２２のみを手に持ってネジ止めを行えるため、容易に行うことができる。接合された筒体部１１と接ぎ具本体２３は、綴じ穴に対して裏側から挿入される。この際、留め具本体２に接ぎ具２２が接合されているため、留め具本体２のみの場合に比べて接ぎ具２２の長さに対応する分だけ台紙２８を多く留める（綴じる）ことができる。因みに第１の接合動作は、第２の接ぎ具係止機構９０Ｂにより行われる。
【００８２】
接ぎ具２２を留め具本体２に接合するべく、接ぎ具２２の接ぎ軸部２４に設けられた窪み部６と留め具本体２の突起部１９とを係止する作業は、図４、図５で説明した作業と略同様である。
【００８３】
したがって、接ぎ軸部２４のガイド部５０が突起部１９に当接した当接状態と、接ぎ軸部２４のガイド部５０が突起部１９に当接しない非当接状態において、接ぎ具２２の係止動作が異なる。
【００８４】
当接状態における係止動作を図７、図８から説明する。図８は、接ぎ具２２とピン３の挿入後の係止状態を示す図である。Ａは一部断面図であり、ＢはＩＩＩ−ＩＩＩ矢視平断面図である。図８は、説明の関係上留め具本体２を断面図で示している。
【００８５】
図７に示すように、接ぎ具２２を留め具本体２の中空部１４へ挿入し、接ぎ軸部２４のガイド部５０が突起部１９に当接した当接状態から、更に強く留め具本体２に向けて（矢印Ｙ２方向に向け）押圧する。すると、接ぎ軸部２４のガイド部５０が留め具本体２の突起部１９を徐々に押圧する。そのため、バネ１３の弾性変形に伴い突起部１９は外側に変位し、接ぎ軸部２４の挿入を許容する。よって接ぎ軸部２４は更に中空部１４内を進行し、これに伴い突起部１９は相対的に接ぎ軸部２４の外周面を摺動する。
【００８６】
そして、窪み部６が突起部１９と対向する位置まで接ぎ具２２が進行すると、図８に示すように、バネ１３のバネ力により突起部１９は窪み部６に嵌入し、これにより窪み部６は突起部１９により係止され、接ぎ具２２と留め具本体２とが結合される。以下、窪み部６が突起部１９に係止された状態を係止状態という。
【００８７】
次に、非当接状態から係止状態とする動作を説明する。図９は接ぎ具２２とピン３が係止解除されている状態（非当接状態で挿入された後の状態）を示す図である。Ａは断面図であり、ＢはＶ−Ｖ矢視平断面図である。
【００８８】
非当接状態の場合、図示の通り接ぎ具２２が挿入されたとき、突起部１９は接ぎ軸部２４の係止解除部７の溝内に存在する。したがってこの時、窪み部６と突起部１９とは係止されていない状態（係止解除状態）にある。
【００８９】
係止状態にするには、接ぎ具２２を図９の状態から９０°軸回転させることにより、窪み部６と突起部１９を係止させることができる。軸回転の方向は、時計回りであっても反時計回りであっても良い。
【００９０】
窪み部６を軸回転させると、接ぎ軸部２４の係止解除部７が突起部１９から離脱する力（乗り上げ力）により、バネ１３に弾性変形が生じて突起部１９は外側に変位して接ぎ具２２の軸回転を許容する。そして、係止解除部７と回転方向にずれた位置に存在する窪み部６が突起部１９と対向する位置まで接ぎ具２２が軸回転すると、バネ１３のバネ力（付勢力）により突起部１９は窪み部６に嵌入し、これにより窪み部６は突起部１９により係止され、接ぎ具２２と留め具本体２とが結合される（図８参照）。
【００９１】
（第２の接合動作）
次に、第２の接合動作について説明する。因みに第２の接合動作は、第１の接ぎ具係止機構９０Ａにより行われる。アルバム２７の綴じ穴に筒体部１１及び接ぎ具本体２３が挿入されると、続いてピン３の軸部５が綴じ穴の表側から挿入される。台紙２８の綴じ穴には留め具本体２の筒体部１１及び接ぎ具２２の接ぎ具本体２３が挿入されている。また接ぎ具本体２３は、筒体部１１に対して表側に位置している。このため、ピン３の軸部５は、接ぎ具本体２３の内部に挿入される。
【００９２】
ピン３を接ぎ具２２へ挿入して両者を接合する第２の接合動作は、基本的に図７〜図９で説明した手順と同様である。ピン３の軸部５のガイド部５０が接ぎ具２２の突起部１９に当接した当接状態と、軸部５のガイド部５０が接ぎ具２２の突起部１９に当接しない非当接状態において、接ぎ具２２との係止動作が異なる点も同様である。
【００９３】
ピン３を接ぎ具２２の中空部３４へ挿入し、軸部５のガイド部５０が接ぎ具２２の突起部１９に当接した当接状態から、更に強く接ぎ具２２に向けて（矢印Ｙ２方向に向け）押圧する。すると、軸部５のガイド部５０が留め具本体２の突起部１９を徐々に押圧し、バネ１３の弾性変形に伴い突起部１９は外側に変位し、軸部５の挿入を許容する。
【００９４】
そして、窪み部６が突起部１９と対向する位置までピン３が進行すると、バネ１３のバネ力により突起部１９は窪み部６に嵌入し、これにより窪み部６は突起部１９により係止され、ピン３と接ぎ具２２とが結合される。
【００９５】
非当接状態の場合、図９に示す通りピン３が接ぎ具２２へ挿入されたとき、突起部１９は軸部５の係止解除部７の溝内に存在する。係止状態にするには、ピン３を９０°軸回転させることにより、窪み部６と突起部１９を係止させることができる。
【００９６】
（係止解除動作）
次に、窪み部６と突起部１９との係止を解除させる係止解除動作を説明する。係止解除動作とは、端的に云えば、図８の状態から図９の状態にさせる動作である。したがって、上記の非当接状態における係止動作の逆を行えば良い。
【００９７】
即ち、留め具本体２と接ぎ具２２、及び接ぎ具２２とピン３との各窪み部６と突起部１９との係止状態において、ピン３及び接ぎ具２２をそれぞれ９０°軸回転させることにより、各窪み部６と突起部１９の係止解除を行うことができる。
【００９８】
本実施形態の留め具１Ｂは、先ずピン３と接ぎ具２２との係止解除が行われ、接ぎ具２２の中空部３４からピン３が引き抜かれる。その後、接ぎ具２２と留め具本体２との係止解除が行われ、留め具本体２から接ぎ具２２が引き抜かれることによってなされる。
【００９９】
本実施形態の留め具１Ｂは、接ぎ具２２を留め具本体２と接合する動作が非常に容易である。接ぎ具２２の挿入の際にガイド部５０と突起部１９が当接する状態（当接状態）においては、単に接ぎ具２２を留め具本体２に向け押し込む操作を行うだけで、接ぎ具２２を留め具本体２にワンタッチで係止することができる。接ぎ具２２の挿入の際にガイド部５０と突起部１９が当接しない状態（非当接状態）においては、接ぎ具２２を留め具本体２内に挿入した後、接ぎ具２２を軸回転させるのみで係止することができる。
【０１００】
また、ピン３を接ぎ具２２と接合する動作は、接ぎ具２２を留め具本体２と接合する動作と同じであるため非常に容易である。
【０１０１】
また、係止状態にある留め具１Ｂにおいて係止解除、及びピン３の引き抜き動作も非常に容易である。即ち、単にピン３又は接ぎ具２２を軸回転させるのみで容易に係止解除を行うことができる。また、係止解除された状態は、突起部１９が係止解除部７の溝内に存在する状態であるため、ピン３又は接ぎ具２２はフリー（被係止状態）であり、ピン３又は接ぎ具２２を上方（矢印Ｙ１方向）へ持ち上げて留め具本体２から容易に引き抜くことができる。
【０１０２】
［第３の実施形態］
図１０、図１１に第３の実施形態の留め具１Ｃを示した。図１０は、第３の実施形態に係る留め具の斜視図である。図１１は第３の実施形態に係る留め具の一部断面図である。図１１は説明の関係上、留め具本体２を断面図で示した。本実施形態は、第１、第２の実施形態と略同様の技術的思想に基づいており、以下その相違点を中心に説明する。
【０１０３】
本実施形態は、留め具本体２の上縁部に、ピン３の軸部５の挿入時の回転方向の位置を誘導する位置合わせ部１５が設けられている点に特長がある。
【０１０４】
第１の実施形態において、ピン３を留め具本体２へ接合する際に、軸部５のガイド部５０が突起部１９に当接する当接状態と、軸部５のガイド部５０が突起部１９に当接しない非当接状態が存在し、各状態における係止動作がそれぞれ異なる点を説明した。各状態は、一義的に決定されるものではないため、いつも決まった状態で接合できるわけではない。
【０１０５】
係止動作としては、ピン３を単に押し込むだけで係止可能な当接状態の場合の方が容易である。本実施形態では、ピン３を留め具本体２の中空部１４内に挿入した際に、軸部５のガイド部５０が突起部１９に確実に当接されるように誘導することができる。以下のその点を説明する。
【０１０６】
留め具本体２の上縁部に設けられた位置合わせ部１５は、凹形状のスリットであり、対向するよう１８０°間隔で配置されている。したがって、対抗する位置合わせ部１５は、留め具本体２の上縁部において、中心を通る直径線Ｊ１上に配置されている。上記したようにピン３のピン側鍔部４の上面には、回転誘導溝４０が設けられている。回転誘導溝４０は、図示の通りピン側鍔部４の中心を通る直径線Ｊ２に沿って設けられている。
【０１０７】
留め具本体２の中空部１４内にピン３の軸部５を挿入する際に、留め具本体２の位置合わせ部１５の直径線Ｊ１の方向（位置）と、ピン３の回転誘導溝４０の直径線Ｊ２（延在方向）の方向（位置）とを一致させる。このとき、図１１に示すようにガイド部５０と突起部１９との挿入方向（矢印Ｙ１−Ｙ２方向）の位置が、一致するように構成されている。そのため、位置合わせ部１５の直径線Ｊ１と回転誘導溝４０の直径線Ｊ２とを位置合わせすると、ピン３を留め具本体２の中空部１４内に単に押圧するのみで、両者を確実に係止できる。
【０１０８】
図示することは省略したが、接ぎ具２２の上縁部にも、同様の位置合わせ部が形成されており、ピン３と接ぎ具２２との接続を確実に当接状態で行うことができる。また、位置合わせ部１５はスリットではなく、目印線などであっても良い。
【０１０９】
このように留め具１Ｃは、ピン３と留め具本体２を係止させる動作、及びピン３と接ぎ具２２を係止させる動作を、軸部５、２４のガイド部５０と突起部１９とが当接する当接状態で確実に行うことができ、安定した作業効率に寄与できる。
【０１１０】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【０１１１】
具体的には、上記した実施形態では、留め具本体２に突起部１９を設けると共にピン３に窪み部６を設ける構成とした。しかしながら、ピン３に突起部１９を設けると共に留め具本体２に窪み部６を設ける構成としてもよい。
【０１１２】
また上記した実施形態では、接ぎ具２２の接ぎ具本体２３に突起部１９を設けると共にピン３の軸部５に窪み部６を設ける構成とした。しかしながら、軸部５に突起部１９を設けると共に接ぎ具本体２３に窪み部６を設ける構成としてもよい。
【０１１３】
また、接ぎ具２２の接ぎ軸部２４に窪み部６を設けると共に留め具本体２に突起部１９を設ける構成とした。しかしながら、留め具本体２に窪み部６を設ける共に接ぎ軸部２４に突起部１９を設ける構成としても良い。
【０１１４】
更に、上記した実施形態では突起部１９をストッパ１２に設けることにより、留め具本体２及び接ぎ具２２と別個の構成とした。しかしながら、留め具本体２及び接ぎ具２２にスリット等を形成することによりバネ性を持たせ、このバネ性を持たせた部分に突起部１９を設けることにより、突起部１９を留め具本体２，接ぎ具２２に一体的に設けた構成としてもよい。
【符号の説明】
【０１１５】
１Ａ、１Ｂ、１Ｃ  留め具
２      留め具本体
３      ピン
４      ピン側鍔部
４０    回転誘導溝
５      軸部
６      窪み部（被係止部）
７      係止解除部
９      係止機構
９０Ａ  第１の接ぎ具係止機構
９０Ｂ  第２の接ぎ具係止機構
１０    本体側鍔部
１１    筒体部
１２    ストッパ
１３    バネ
１４，３４  中空部
１５        位置合わせ部
１６，３６  凹部
１７，３７  孔
１８      ベース
１９      突起部（係止部）
２０      スリット
２２      接ぎ具
２３      接ぎ具本体
２４      接ぎ軸部
２７      アルバム
２８      台紙
【図１】
2017056628.tif 000003
【図２】
2017056628.tif 000004
【図３】
2017056628.tif 000005
【図４】
2017056628.tif 000006
【図５】
2017056628.tif 000007
【図６】
2017056628.tif 000008
【図７】
2017056628.tif 000009
【図８】
2017056628.tif 000010
【図９】
2017056628.tif 000011
【図１０】
2017056628.tif 000012
【図１１】
2017056628.tif 000013